(57)【要約】【課題】露出した切断刃は指先を切る危険が有る。使う度に蓋の開閉しなければならない。ラップフィルム先端が摘まみづらく、引き出しにくい。ロールへ貼り付いたラップフィルムのはがし作業は大変煩雑。固定式としては使えない。使い捨て紙ケースは森林資源の浪費である。などの課題を解決して提供する。【解決手段】切断刃が収納式となる切断装置を構成して危険を無くし安全に。ラップフィルムがそのまま摘め、引き出せる複合切欠部を構成して、ケース蓋体の開閉不要でワンタッチ切断が出来ます。貼り付き防止具で煩雑なはがし作業を防止。手持ち式として、また固定式として両用で使えるシステムは大変便利。つめ替え式なので分解分別不要、紙ケースが不要となり資源節約で環境保護に貢献できる、ラップフィルムケース。【選択図】図１
2013043697.tif 000002
【特許請求の範囲】
【請求項１】
ラップフィルムを巻き芯に巻いたロールを収納する開口部を有したケース本体と、ケース本体開口部を開閉自在に覆うケース蓋体を設けたラップフィルムケースにおいて、ケース蓋体のラップフィルム引き出し側に、引き出したラップフィルムを切断する切断装置を構成し、切断装置にはラップフィルムを切断出来る幅の切断刃を設け、切断刃背部中央には切断刃押し具を設け、切断刃押し具上部はケース蓋体上部に開けた穴部より外部へ突出し、切断刃押し具に弾性体支持具を設け、切断装置に設けた支持具により支持され、切断刃押し具への下方への押し圧により切断刃刃先をケース蓋体縁部外へ押し出し、押し圧解除で切断刃刃先をケース蓋体内へ収納する切断装置を構成したことを特徴としたラップフィルムケース。
【請求項２】
請求項１記載、切断刃の刃先形状はケース本体の底辺に対して、切断刃幅方向中央部の２箇所に頂点を設け、頂点と頂点の間に谷を形成し、各頂点から切断刃幅方向末端へはケース本体の底辺に対して暖傾斜し、その刃先線全長をＷ字形状に型成した切断刃を構成したことを特徴とした請求項１記載のラップフィルムケース。
【請求項３】
請求項１記載、切断刃押し具のラップフィルム側にラップフィルム停止具を設け、ラップフィルム停止具下方には突起部を設け、切断刃押し具への下方への押し圧で、突起部が本体縁部上にあるラップフィルムを押し圧する、ラップフィルム停止具を構成したことを特徴とした請求項１ないし２いずれか記載のラップフィルムケース。
【請求項４】
請求項１記載、ケース本体の上縁部のヒンジを介し開閉自在に接続された、ロールを覆う蓋形状の貼り付き防止具を設け、貼り付き防止具のラップフィルム引き出し側縁部に磁性体を設け、この磁性体に相対する本体縁部にも磁性体を設けたことを特徴とした、貼り付き防止具を構成したことを特徴とした請求項１ないし３いずれか記載のラップフィルムケース。
【請求項５】
請求項１記載、ケース蓋体内側に回転制御具を設け、回転制御具はロール押え部と弾性的部材からなり、蓋体を閉じることにより回転制御具のロール押え部はロール直径変化に対応してロールを押し圧する、回転制御具を構成したことを特徴とした請求項１ないし４いずれか記載のラップフィルムケース。
【請求項６】
請求項１記載、ケース蓋体のラップフィルム引き出し側の縁部中央部に指の入るサイズで凹式の蓋体切欠部を型成し、ケース蓋体を閉じた時、蓋体切欠部に相対するケース本体外側角部に指の入るサイズで凹式の本体切欠部を型成し、複合した切欠部を構成したことを特徴とした請求項１ないし５いずれか記載のラップフィルムケース。
【請求項７】
請求項１記載、ケース本体ラップフィルム引き出し側の内側で底面角部の、短いロール収納に相当する位置に支点を設け、支点を介して、収納するロールの直径方向へ９０度回転可能に仕切り具を構成したことを特徴とした請求項１ないし６いずれか記載のラップフィルムケース。
【請求項８】
請求項１記載、ケース本体の両側面に本体凹凸形状部を設け、ラップフィルムケースを固定式として使用する固定式受け皿の両側端には、前記の本体凹凸形状部とはまりあう、受け皿凹凸形状部を設けたことを特徴とした請求項１ないし７いずれか記載のラップフィルムケース。
【発明の詳細な説明】
【技術分野】
【０００１】本発明は、ラップフィルムを巻き芯に巻いたロールから、ラップフィルムを必要量引き出し、切断して使用するラップフィルムケースに関するものである。
【背景技術】
【０００２】図１０で示す従来の、使い捨て式ラップフィルムケースは、巻き芯に巻いたロール５４が、紙製のケース本体５１に収納されている。使用する場合ケース蓋体５２を半分ほど開き、ラップフィルム５５の先端を目視できる状態とした後、ラップフィルム５５を摘み、必要な長さだけ引き出し、ケース蓋体５２の縁部に設けた切断刃５３を、ケース蓋体５２を閉じながらラップフィルム５５に押し当て、切断する構造である。【０００３】図１０で示す、従来のラップフィルムケースには、鋸刃状の切断刃５３が常時露出しているので、ラップフィルム５５の切断作業中は常に切断刃５３で指先を傷つける危険がある。【０００４】図１０で示す通り、ラップフィルム５５の先端がケース蓋体５２に覆われていて目視できない。【０００５】図１１で示すように、ラップフィルム５５の先端を目視するために、ケース蓋体５２を半分程開く作業の必要がある。次の作業として目視出来たラップフィルム５５を摘まむのであるが、ラップフィルムはミクロン単位の薄膜であり、静電気や親和性等によりケース本体５１に被着していて、ラップフィルム５５の先端を摘まむのは自在でない。【０００６】前項の解決法として、図１０、１１で示すように、ラップフィルム５５先端を摘み易くする、摘み補助加工５６がされたラップフィルムケースもあるが、材質が紙製で、使い捨て容器の制約の中で装具なので、十分に満足するものではない。【０００７】図１２で示す、別タイプのラップフィルムケースでは、切断したラップフィルム５５先端が、目視出来て、摘み易くして有り、摘む作業は改善された。しかし、一番怪我をしやすいケース本体５１の角部に、鋸歯状の切断刃６１が露出しているので、危険性は増大している。【０００８】従来のラップフィルムケースではラップフィルム５５先端が、ロール５４に貼り付いて作業が継続できない事が生じる場合がある。ラップフィルム５５先端がロール５４に貼り付いた場合、爪の先や、セロテープを使用して先端を剥がすのであるがこの復帰作業は大変煩雑である。【０００９】前項の原因は２つ有り、その１として、ケース蓋体５２を開く時に、ラップフィルム５５が引き上げられ舞い上がり、ロール５４へ貼り付いてしまう場合である。【００１０】原因その２として、ロール５４がケース本体５１の中で空転する事により巻き戻りが生じて、ラップフィルム５５がロール５４へ貼り付いてしまう場合である。【００１１】原因その１の解決法は、図１０、１１、で示すように、粘着材塗布部５７をケース本体５１へ設け、ラップフィルム５５を一時的に貼り付ける方法である。一見解決しているが、粘着物でラップフィルム５５を貼り付ける方法なので、ラップフィルム５５を引き出す作業では、初めに、ラップフィルム５５をまくり上げケース本体５１から剥がす事が必要となるので使い勝手が良いとは言えない。【００１２】原因その２の解決法は、図１０、図１２で示すように、ロール５４の巻き戻りとロール５４の飛び出しを防止する、巻き芯押え加工５８を形成する方法である。しかし、ボール紙を押し曲げるだけの為、又ロール５４の残量が少なくなり、ロール直径が小さくなると防止機能は十分でない。【００１３】従来の、使い捨て式ラップフィルムケースは、ラップフィルム使い切り後、紙類、金属類、プラスチック類を分解分別して廃棄処分するのであるが、手数が煩雑であるのと、切断刃の分別作業で指先を怪我する危険がある。【００１４】従来の、ラップフィルムケースはロールごとに紙ケースを使い捨てるので、大切な森林資源の無駄使いである。【００１５】文献、特開２００５−８８９９１に有る、詰め替え型のハードケースがある。ケース蓋体を閉じた状態では切断刃が蓋体内部に収納され、怪我の心配が無く安全である。しかし、ケース蓋体を開けた状態では切れ味の良い切断刃の刃先が露出し指先を怪我する状態となる。怪我をする危険は防止されず安全性が改善されたとは言えない。【００１６】前記ハードケースは、ラップフィルムの巻き戻りによるラップフィルム先端のロールへの貼り付き防止の固定法に、粘着材料をケース本体へ塗布して、ラップフィルムを一時的に貼り付けているので、ラップフィルムを、摘まみ、引き出す為にケース蓋体を開き粘着材塗布部からラップフィルムを剥がしてから、ラップフィルムを引き出さねばならない、又、切断する為に再びケース蓋体を閉じる作業が必要で、使い勝手は改善されていない。【００１７】総じて言えるのは、従来の使い捨て式ラップフィルムケースは、露出した切断刃で常に指先を怪我する危険が有り指先を気にしながらの作業となり信頼性がたりない。切断作業にはそのつどケース蓋体の開閉をして煩雑である。強い力を入れると安定性が無い。ラップフィルムのロールへの貼り付き、使いきり後の分別分解作業、資源の無駄使いなど。老若男女が安心してさわやかに使えるとは言えないのが従来のラップフィルムケースの背景である。
【特許文献】特開２００６−３６３１１  特開２００５−８８９９１  特開２００１−１６３３２８  特許第３２５８４８２号
【発明の概要】
【発明が解決しようとする課題】
【００１８】これらの問題解決のために、次のような課題が存在する。【００１９】露出した切断刃の刃先で、指先を傷つける危険と心配を取り除く課題。【００２０】ラップフィルム先端が常時、目視出来て、自在につまみ引き出せる課題。【００２１】ラップフィルム切断作業のつど、ケース蓋体を開けたり、閉めたりの煩雑さを無くす課題。【００２２】ケース蓋体を開けた時に、ラップフィルム先端が舞い上がり、ロールへ貼り付き、摘めなくなってしまうことを防止する課題。【００２３】切断終了時の反動や、ケースを動かすことで、ロールが空回転し、ラップフィルム先端が巻き戻されてロールへ貼り付き、摘めなくなってしまうことを防止する課題。【００２４】ラップフィルム使い切り後の、紙類、金属類、プラスチック類などに分別分解する作業を無くし、分解作業中の切断刃による怪我を無くす課題。【００２５】手持ち式としての使用法だけでなく、これを固定式としても使用できるシステムとする課題。【００２６】ハードケースにして長期間使用する、又、短いロールも使えることの課題。【００２７】資源の無駄を無くす時なのに、紙ケースの使い捨て方式である。使い捨てる森林資源の無駄使いを無くす課題。
【課題を解決するための手段】
【００２８】本発明は前記課題を解消する為に考案され、以下概要を説明する。【００２９】蓋体縁部に固定されていた、切断刃を分離独立し、ケース蓋体の切断刃収納部へ切断刃を引き込み式に自動収納する方式の切断装置を構成する。【００３０】ケース蓋体ラップフィルム引き出し側縁部に指先が入る切欠部を型成し、ケース蓋体を閉じた時に相対するケース本体底辺角部へも指先が入る切欠部を型成し、ケース蓋体を開けることなくラップフィルムが目視でき、そのまま摘まめるようにする複合切欠部を型成する。【００３１】前項記載の、切断装置と複合切欠部により、ラップフィルムの切断作業から、蓋体の開閉不要でワンタッチ切断のできるラップフィルムケースとする。【００３２】収納したロールを覆う蓋形状で、ケース本体縁部のヒンジにより連結され、自在に開閉が出来る貼り付き防止具を構成する。貼り付き防止具の幅はラップフィルム８の中央部だけでもよく、全幅でも良い。貼り付き防止具の閉止方法は磁力引き付け力とし、貼り付き防止具縁部と相対する本体縁部に磁力体を設ける。【００３３】ケース本体に収納したロールのガタやロールの空回転を防止する為、ロールを押圧する回転制御具を構成し、ロールを押圧するロール押え部には弾性部を設け、蓋体に固定され、蓋体を閉じた時にロールを一定の押圧にて押圧する機能を持たせる。【００３４】詰め替え式で、短いロールも使用出来、長期間使用出来る、ハードケースを製作する。【００３５】固定式として使用するラップフィルムケースを、専用の受け皿を設け、ラップフィルムケース側面に凹凸形状部を設け、受け皿両側端にも凹凸形状部を設け、配置しやすく、脱落しない、固定式受け皿のシステムを構成する。
【発明の効果】以上の構成により、本発明は次のような効果を生じる。【００３６】切断装置により切断刃が自動的にケース蓋体の切断刃収納部へ収納されるので、切断刃で指先を怪我する危険が無くなり安全性が向上する。【００３７】複合した切欠部の構成で、ラップフィルム先端は常時目視出来、そのまま摘み、引き出せるので利便性が良くなる。【００３８】切断装置による切断方法と、複合した切欠部の構成で、ラップフィルムがワンタッチで切断出来て、ケース蓋体を開く作業と閉じる作業が不要となり、利便性が向上する。【００３９】貼り付き防止具を構成し、ケース蓋体を開けた時のラップフィルム舞い上がりによる、ロールへの貼り付つきを防止して、煩雑な復帰作業が無くなる。【００４０】回転制御具を構成し、ロールのから回転による巻き戻りが無く、ラップフィルム先端がロールへ貼り付いてしまうことが防止され、煩雑な復帰作業が無くなる。【００４１】回転制御具を構成し、ラップフィルムロールの残量に左右されず常にスムースにラップフィルムを引き出せるので、作業の安定性が向上する。【００４２】固定式受け皿とラップフィルムケースのシステムで、手持ち式としても、固定式としても、両用で使用できるので、利便性が向上する。【００４３】仕切り具を構成し、短いロールの使用も出来、ハードケースとなり作業の信頼性が向上する。【００４４】詰め替え式なので、紙類、金属、プラスチックなど、分解分別作業が不要となった。又、切断刃の分解作業での怪我の心配が無くなり安全性が向上する。【００４５】詰め替え式なので、使い捨て紙ケースが不要となり、森林資源の節約が出来る。
【図面の簡単な説明】
【００４６】
【図１】本発明、ケース蓋体を開き、ロール収納状態、斜視図、
【図２】本発明、手持ち式として使用の、斜視図、
【図３】本発明、切断装置に切断刃が収納されている、正面図
【図４】本発明、切断装置から切断刃刃先が押し出されている、正面図
【図５】本発明、ラップフィルム停止具（切断刃押し具）を押し下げた、断面図
【図６】本発明、回転制御具がロールを押し圧する、断面図
【図７】本発明、固定式受け皿へラップフィルムケースを配置する、側面図
【図８】本発明、ラップフィルムケース、固定式として使用の、斜視図
【図９】本発明、切断刃刃先の形状、正面図
【図１０】従来品ケースの斜視図、ラップフィルム先端が見えない説明図
【図１１】従来品ケースの斜視図、ケース蓋体の開閉の説明図
【図１２】従来品ケースの斜視図、外部切断刃の説明図
【発明を実施するための形態】
【００４７】以下本発明の実施の形態を図１〜図９に基づいて説明する。
【００４８】図１はケース蓋体４を開きフィルムロールを収納した状態を示している。ケース本体１は箱型の上方開口式でロール９が配置出来るサイズであり長期間使用出来る材質で型成されている。ケース蓋体４が本体縁部のヒンジ６、６Ｂにより連結され自在に開閉が出来る。
【００４９】図２はケース蓋体４を閉じた状態を示している、ケース蓋体４のラップフィルム出口側の切断刃収納部５には切断刃１１を収納した切断装置１３が構成してある。ケース本体１のフィルム出口側角部には蓋体閉止具１０が設けてあり、ケース蓋体４の開閉を自動的に閉止し、フィルムロールの飛び出しを無くしている。蓋体閉止具１０を押すことにより閉止を解除しケース蓋体４を開けることが出来る。
【００５０】図３により切断刃閉止具１６を説明する。切断刃１１を収納することが第一の安全装置であり、切断刃閉止具１６は第二の安全装置である。フィルムロール９の交換時に不要意に切断刃押し具５を押した場合や、幼児などが誤って触ってしまっても、切断刃刃先３３が外部へ押し出されることを閉止し安全を高める。
【００５１】前項、切断刃閉止具１６は切断刃押し具５に接する位置の蓋体２に回転可能に設けられ、切断刃押し具５に設けた押し具凹部１７に切断刃閉止具１６の一部を挿入させ、切断刃押し具５の動きを閉止と開放をする。
【００５２】切断装置１３について、図３、図４により説明する。
【００５３】切断装置１３は引き出したラップフィルム８をケース蓋体４の開閉をすることなくワンタッチ切断することが出来ること、又、切断刃１１を内納して安全性を高めた装置である。
【００５４】図３は切断刃１１が切断刃収納部５に収納されている状態を示し、図４は切断刃押し具５を押して、切断刃刃先３３が切断刃収納部５より押し出され、ラップフィルムが切断出来る状態を示している。
【００５５】切断装置１３にはラップフィルム８の幅をカバーする切断刃１１が構成され、切断刃１１の背部中央部には、切断刃１１を押し出す切断刃押し具１２が形成され、切断刃押し具１２上部はケース蓋体４の上部中央部に開けた穴部よりケース蓋体４の外部へ露出している。
【００５６】前項、切断刃押し具１２には弾性体支持部１５、１５Ｂが設けられ、切断装置１３に設けた受け具１４、１４Ｂにより支持され、切断刃１１は切断装置１３の内部を上下に自由にスライドする。切断刃押し具１２を押し、切断刃１１を押し出して切断後、押した力を解放すると、弾性体支持部１５、１５Ｂの弾性復元力により引き戻され、切断刃１１は切断装置１３内部へ自動的に収納される。
【００５７】切断刃押し具１２を押し、切断刃刃先３３が外部へ露出するのは、ラップフィルム８を切断する瞬間だけであり、切断時以外は常時切断装置１３内部へ自動的に収納される。
【００５８】切断刃刃先線３３の形状について、図３、図９により説明する。
【００５８】切断刃刃先３３の形状は、切断刃幅方向の中央部に２箇所の頂点を設け、頂点３４と頂点３４Ｂの間は谷３５を形成し、各、頂点から切断刃幅方向の末端へはケース本体の底辺に対して暖傾斜した形状である。たとえれば刃先線全長は緩やかなＷ字形状である。
【００６０】切断刃刃先３３の形状をＷ字形状の２頂点切断刃にすると、一つの頂点の切断より、センター優先切断がさらにスピーディ、スムースに出来る。
【００６１】切断刃刃先３３の形状は蓋体切欠部７の形状に合致させた、緩やかな谷形状である。頂点と頂点の間隔は切り欠部の幅とほぼ同じである。
【００６２】フィルム停止具１８について、図５により説明する。
【００６３】フィルム停止具１８は、切断する時だけラップフィルムの引き出しを強制的に停止させ、確実な切断をさせる機能である。もしも、切断時に抵抗なく自由にラップフィルムが引き出された場合、切断刃刃先３３にラップフィルム８が引っかかりながら引き出される状態となり、かぎ裂き、又、破断などしてラップフィルムの切断作業が中断されてしまうので、これを防止する。
【００６４】フィルム停止具１８は切断刃押し具１２のラップフィルム側に設けられている。図５は、切断刃押し具１２を、つまりフィルム停止具１８が押し下げられて、フィルム停止具１８の突起部１９が本体縁部２に接し、ラップフィルム８を挟み押え、引き出しを停止した状態を示している。
【００６５】フィルム停止具１８つまり切断刃押し具１２を押し下げない状態では、フィルム停止具１８の突起部１９と本体縁部２の間は自由空間でありラップフィルムは押さえつけられず自由に引き出すことが出来る。
【００６６】貼り付き防止具２０について、図１、により説明する。
【００６７】貼り付き防止具２０は蓋体４を開けた時に、ラップフィルムが舞上り、ロール９へ貼り付いてしまうことを防止する機能である。ロール９へ貼り付いたラップフィルムを剥がすのは大変煩雑である。
【００６８】貼り付き防止具２０は、ロールを覆う蓋形状でケース本体縁部２のヒンジ２１、２１Ｂにより連結され自在に開閉が出来る。貼り付き防止具２０の幅はラップフィルム８の中央部だけでもよく、全幅でも良い。
【００６９】貼り付き防止具２０のフィルム出口側でフィルム８と接する縁部に、磁性体２２を設け、この磁性体２２の相対する位置の本体縁部２にも磁性体２３が設けてあり、磁力引きつけ力により貼り付き防止具２０を閉じている。
【００７０】貼り付き防止具２０の磁性体２２とケース本体１の磁性体２３の磁力は、通常、磁力引きつけ力によりフィルム８を挟み押えてフィルムを停止させていて、フィルム引き出し時にはフィルム８が自在に通過出来る磁力である。
【００７１】貼り付き防止具２０の開閉は基本的には手動であるが、閉じる時にはケース蓋体２を閉じることにより連動して自動的に閉じる。
【００７２】従来のラップフィルムケースでは、フィルムの巻き戻り防止、舞い上がり防止には、ケース外部へ塗布した粘着材へ、ラップフィルムを一時的に貼り付ける方法を採用している。効果は十分あるが、粘着材の有効性が短期であり、長期使用の詰替え式ラップフィルムケースには不適である。
【００７３】前項の通り、粘着材でラップフィルムを貼り付けてあるので、ラップフィルムを引き出す為には、ケース蓋体を開いてから、ラップフィルム８を剥がす作業が必要である。本発明フィルムケースでの切断作業では、ケース蓋体の開閉をしない機構なのでラップフィルムをまくり上げて、粘着材から引き剥がす作業は出来ない。よって本発明ではまくり上げる必要の無い、効果の劣化がない永久使用できる、磁力引き付け力による貼り付き防止具２０を構成した。
【００７４】回転制御具２４について図１、図６により説明する。
【００７５】回転制御具２４は、ケース本体１でのロールの不要な動きと、空回転を止めることで、巻き戻りを防止して、ラップフィルムフ先端がロール９への貼り付きを防止し、ラップフィルムの引き出しを一定でスムースにする機能である。
【００７６】回転制御具２４は、図１で示す通り、弾性体２５とロール押え部２６により構成され、蓋体４の内側で蓋体連結ヒンジ側に設けてある。
【００７７】回転制御具２４は図６で示す通り、ケース蓋体４を閉じることでロールを押し圧する機構である。
ロール押え部２６は弾性部材２５の弾性力により、フィルムロールの直径の変化に合わせて直径方向に自在に角度を変える。
【００７８】回転制御具２４のロール押え部２６は弾性体２５の弾性力によるロール９への接触圧力により、ロール９の残量直径の変化に対応し回転を制御する。
【００７９】本体切欠部３と蓋体切欠部７を図１、図２、により説明する。
【００８０】本体切欠部３と蓋体切欠部７の複合切欠部には、前回切断されたラップフィルムの先端が見えるように残留するので、ケース蓋体４を開けることなく、そのまま見えて、そのまま摘まめ、引き出せる機能である。
【００８１】本体切欠部３は図１、図２で示す通り、ケース本体１の底面角部のラップフィルム出口側中央に、指が入る凹形状の切欠として型成されている。蓋体切欠部７はケース蓋体４のラップフィルム出口側中央部の縁部に、指が入る凹形状の切欠として型成されている。二つの切欠部は相対している複合切欠部である。
【００８２】本体切欠部３と蓋体切欠部７の複合切欠部を切断刃１１が遮断するのは、ラップフィルムを切断する瞬間だけである。
【００８３】仕切り具２８、２８Ｂについて図１、図６、により説明する。
【００８４】仕切り具２８、２８Ｂは、短いサイズのロールも使用できるための機能である。
【００８５】仕切り具２８、２８Ｂは図１、に示す通りケース本体１の内側でフィルム出口側底面に短いロールに合わせた位置に支点２７、２７Ｂを設け、支点をヒンジとして連結されロール直径方向へ９０度ほど回転が出来る。
【００８６】仕切り具２８、２８Ｂは、図１で示す通り、通常のロールを配置して使用する場合、ケース本体１の長さ方向に収納してある。
【００８７】仕切り具２８、２８Ｂは、図６に示す通り、短いロールを配置する場合に方向を変えて使用する。仕切り具２８、２８Ｂを９０度回転させ、つまり、ロール直径方向に９０度回転させ、１対の仕切り具の間に、短いサイズのロールを配置して使用する。
【００８８】固定式受け皿３０を図７、図８、により説明する。
【００８９】固定式受け皿３０を壁面、ボードなどに固定設置することで、本発明ラップフィルムケースは、固定式として使用できるシステムである。
【００９０】固定式受け皿３０はケース本体１が配置できる上部開口型で、固定式受け皿３０の両側端には受け皿凹凸部３１、３１Ｂが設けられていている。
【００９１】ケース本体１の両側面には、ケース本体凹凸部２９、２９Ｂが形成されている。ラップフィルムケースを固定式として使用する場合に、受け皿凹凸部３１、３１Ｂへ挿入する部分である。
【００９２】固定式受け皿３０へラップフィルムケースを配置する場合。図８で示すように、ラップフィルムケースを手前に少し傾けて固定式受け皿３０へ入れ、ケース本体凹凸部２９、２９Ｂを受け皿凹凸部３１、３１Ｂへはめ合わせることで、配置できる。
【００９３】固定式受け皿３０よりラップフィルムケースを取り外す場合、ラップフィルムケースを手前に少し傾けながら、受け皿凹部３１、３１Ｂよりケース本体凹凸部２９、２９Ｂを外すことで取り外せる。
【００９４】固定式受け皿３０の受け皿凹部３１、３１Ｂへケース本体凹凸部２９、２９Ｂを挿入し合致させることで、固定式受け皿３０からラップフィルムケース脱落の防止している。前記凹凸部と凹凸部がはめ合わされ、摩擦力とテコの原理にて、ラップフィルムケースが固定式受け皿３０から脱落しないシステムである。
【００９５】前項とは異なる、受け皿凹凸部とケース本体凹凸部が構成していないシンプルな上方開放型の受け皿の場合、又、いずれかの固定手段が無い場合は、引き出したラップフィルムを、図８で示す矢印▲３▼の方向、上方へ引き上げるだけで、ラップフィルムケースは簡単に、受け皿より飛び出し脱落してしまう。
【００９６】本発明ラップフィルムケースを手持ち式としての使用方法を図２、図３、図４によりを説明する。
▲１▼、切欠部７に見えるフィルム８を、そのまま摘まんで引き出す。
▲２▼、切断刃押し具１２を指先で押し、切断刃１１を押し出し、保持する。
▲３▼、ラップフィルム８を上方へ９０度程、引き上げると瞬時に切断され完了。
【００９７】図２で示すのは、は前回の切断が終了した状態で、ラップフィルム８の先端が本体切欠部３と蓋体切欠部７で、フィルムの上面、下面とも開放された空間に、目視出来てそのまま的確に摘まめる状態を示している。
【００９８】図３で示すのは、ラップフィルムをそのまま摘み、必要量引き出した状態を示している。
【００９９】図４で示すのは、切断刃押し具１２を押して切断刃１１を押し出した状態である。引き出したラップフィルム８を少し引っ張りながら９０度ほど切断刃１１側に傾けるか、ラップフィルムケースを９０度ほど回転させれば、瞬時に切断される。
【０１００】切断が終了し切断刃押し具１２より指を離すことで、切断刃１１は自動的に切断刃収納部５に収納され作業は完了する。
【０１０１】再び図２の状態になり、ラップフィルム８の先端が本体切欠部３と蓋体切欠部７の空間に、目視出来て、そのまま的確につまめる状態になっているのが特徴である。速やかに２回目、３回目の切断作業が出来る。
【０１０２】切断作業において、ラップフィルム８を、摘む、引き出す、切断するまで、ケース蓋体４の開閉作業はまったく不要である。ケース蓋体４の開閉は、ロール９をケース本体１へセットする時とロール９の残量を点検する時だけである。
【０１０３】本発明のラップフィルムケースを固定式としての使用方法を、図８、により、説明する。
▲１▼固定式受け皿３０にセットし、切欠部７に見えるフィルム８を、そのまま引き出す。
▲２▼切断刃押し具１２を他方の指先で押し、切断刃１１を押し出し、保持する。
▲３▼ラップフィルム８を上方へ９０度程、引き上げると瞬時に切断される。
【０１０４】本発明のラップフィルムケースを、固定式として、手持ち式として、どちらの方法で使用しても、ラップフィルムが、そのまま摘まめて、引き出せて、ケース蓋体を開閉することなく、ワンタッチ切断が出来る利便性は同じである。
【０１０５】本発明のラップフィルムケースを、固定式として使用しても、切断終了時には、再び複合した切欠部にラップフィルム８が目視できる状態になるので、そのまますぐに２回目の切断作業が出来る。
【０１０６】本発明のラップフィルムケースを、固定式として、使用すると、たとえば手こねハンバーグなどの料理で両手が食材でふさがれていても、ラップフィルムケースに触ることなく、ワンタッチ切断が出来るので、大変便利である。
【０１０７】尚、本発明による、ラップフィルムケースは上述した例に限られるものではなく、本発明構成において、種々の変更を行うことが出来るものである。
【符号の説明】
【０１０８】  １  ケース本体
２  本体縁部
３  本体切欠部
４  ケース蓋体
５  切断刃収納部
６  ヒンジ（６Ｂ）
７  蓋体切欠部
８  ラップフィルム
９  ロール
１０  蓋体閉止具
１１  切断刃
１２  切断刃押し具
１３  切断装置
１４  支持具（１４Ｂ）
１５  弾性体支持具（１５Ｂ）
１６  切断刃閉止具
１７  押し具凹部
１８  フィルム停止具
１９  突起部
２０  貼り付き防止具
２１  ヒンジ（２１Ｂ）
２２  磁性体
２３  磁性体
２４  回転制御具（２４Ｂ）
２５  弾性部（２５Ｂ）
２６  ロール押え部（２６Ｂ）
２７  支点（２７Ｂ）
２８  仕切り具（２８Ｂ）
２９  ケース本体凸部（２９Ｂ）
３０  固定式受け皿
３１  受け皿凹部（３１Ｂ）
３２  取り付けボード
３３  切断刃刃先
３４  頂点（３４Ｂ）
３５  谷
３６  角度
３７  幅
３８−５０  欠番
５１  ケース本体
５２  ケース蓋体
５３  切断刃
５４  ロール
５５  ラップフィルム
５６  摘み補助具
５７  粘着材塗布部
５８  巻き芯押さえ具
５９  ケース本体
６０  ケース蓋体
６１  切断刃
【図１】
2013043697.tif 000003
【図２】
2013043697.tif 000004
【図３】
2013043697.tif 000005
【図４】
2013043697.tif 000006
【図５】
2013043697.tif 000007
【図６】
2013043697.tif 000008
【図７】
2013043697.tif 000009
【図８】
2013043697.tif 000010
【図９】
2013043697.tif 000011
【図１０】
2013043697.tif 000012
【図１１】
2013043697.tif 000013
【図１２】
2013043697.tif 000014